【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】電気回路及びそれを用いた電子機器
【手続補正２】
【補正対象書類名】特許請求の範囲
【補正対象項目名】全文
【補正方法】変更
【補正の内容】
【特許請求の範囲】
【請求項１】
第１の電極と第２の電極を有する容量素子と、
前記容量素子の第１の電極に対する電圧の供給を制御する手段と、
第１のトランジスタと、
ゲートが前記容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第２のトランジスタのゲートに対する電圧の供給を制御する手段と、
を有することを特徴とする電気回路。
【請求項２】
第１の電極と第２の電極を有する容量素子と、
配線と、前記容量素子の第１の電極と前記配線との導通を制御する手段と、
ゲートが前記容量素子の第２の電極に電気的に接続され、ソースとドレインの間を流れる電流により発光素子の発光が制御されるトランジスタと、
前記トランジスタのソース及びドレインの一方に対する電圧の供給を制御する手段と、
前記トランジスタのゲートに対する電圧の供給を制御する手段と、
を有することを特徴とする電気回路。
【請求項３】
第１の電極と第２の電極を有する容量素子と、
配線と、前記容量素子の第１の電極と前記配線との導通を制御する手段と、
第１のトランジスタと、
ゲートが前記容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第２のトランジスタのゲートに対する電圧の供給を制御する手段と、
を有することを特徴とする電気回路。
【請求項４】
第１の電極と第２の電極を有する容量素子と、
配線と、前記容量素子の第１の電極と前記配線との導通を制御する手段と、
第１のトランジスタと、
ゲートが前記容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
を有することを特徴とする電気回路。
【請求項５】
第１の電極と第２の電極を有する容量素子と、
第１のトランジスタと、
ソース及びドレインの他方が一定の電位に保たれた第２のトランジスタと、
ゲートが前記容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
を有することを特徴とする電気回路。
【請求項６】
第１の電極と第２の電極を有する容量素子と、
第１のトランジスタと、
前記容量素子の第１の電極に対する電圧の供給を制御する手段と、
ゲートが前記容量素子の第２の電極と前記第１のトランジスタのソース及びドレインの一方とに電気的に接続され、ソース及びドレインの一方が前記第１のトランジスタのソース及びドレインの他方に電気的に接続され、ソースとドレインの間を流れる電流により発光素子の発光が制御される第２のトランジスタと、
前記第２のトランジスタのソース及びドレインの一方に対する電圧の供給を制御する手段と、
を有することを特徴とする電気回路。
【請求項７】
第１の電極と第２の電極を有する容量素子と、
第１のトランジスタと、
ソース及びドレインの他方が一定の電位に保たれた第２のトランジスタと、
前記容量素子の第１の電極に対する電圧の供給を制御する手段と、
ゲートが前記容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
を有することを特徴とする電気回路。
【請求項８】
第１の電極と第２の電極を有する容量素子と、
配線と、前記容量素子の第１の電極と前記配線との導通を制御する手段と、
第１のトランジスタと、
ゲートが前記容量素子の第２の電極と前記第１のトランジスタのソース及びドレインの一方とに電気的に接続され、ソース及びドレインの一方が前記第１のトランジスタのソース及びドレインの他方に電気的に接続され、ソースとドレインの間を流れる電流により発光素子の発光が制御される第２のトランジスタと、
前記第２のトランジスタのソース及びドレインの一方に対する電圧の供給を制御する手段と、
を有することを特徴とする電気回路。
【請求項９】
第１の電極と第２の電極を有する容量素子と、
配線と、前記容量素子の第１の電極と前記配線との導通を制御する手段と、
第１のトランジスタと、
ソース及びドレインの他方が一定の電位に保たれた第２のトランジスタと、
ゲートが前記容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
を有することを特徴とする電気回路。
【請求項１０】
第１の電極と第２の電極を有する容量素子と、
前記容量素子の第１の電極に対する電圧の供給を制御する手段と、
第１のトランジスタと、
ゲートが前記容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第２のトランジスタのゲートに対する電圧の供給を制御する手段と、
ソース及びドレインの一方が前記容量素子の第１の電極に接続され、ソース及びドレインの他方がゲート信号線に接続された第３のトランジスタと、
を有することを特徴とする電気回路。
【請求項１１】
第１の電極と第２の電極を有する容量素子と、
配線と、前記容量素子の第１の電極と前記配線との導通を制御する手段と、
ゲートが前記容量素子の第２の電極に電気的に接続され、ソースとドレインの間を流れる電流により発光素子の発光が制御される第１のトランジスタと、
前記第１のトランジスタのソース及びドレインの一方に対する電圧の供給を制御する手段と、
前記第１のトランジスタのゲートに対する電圧の供給を制御する手段と、
ソース及びドレインの一方が前記容量素子の第１の電極に接続され、ソース及びドレインの他方がゲート信号線に接続された第２のトランジスタと、
を有することを特徴とする電気回路。
【請求項１２】
第１の電極と第２の電極を有する容量素子と、
配線と、前記容量素子の第１の電極と前記配線との導通を制御する手段と、
第１のトランジスタと、
ゲートが前記容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第２のトランジスタのゲートに対する電圧の供給を制御する手段と、
ソース及びドレインの一方が前記容量素子の第１の電極に接続され、ソース及びドレインの他方がゲート信号線に接続された第３のトランジスタと、
を有することを特徴とする電気回路。
【請求項１３】
第１の電極と第２の電極を有する容量素子と、
配線と、前記容量素子の第１の電極と前記配線との導通を制御する手段と、
第１のトランジスタと、
ゲートが前記容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
ソース及びドレインの一方が前記容量素子の第１の電極に接続され、ソース及びドレインの他方がゲート信号線に接続された第３のトランジスタと、
を有することを特徴とする電気回路。
【請求項１４】
第１の電極と第２の電極を有する容量素子と、
第１のトランジスタと、
ソース及びドレインの他方が一定の電位に保たれた第２のトランジスタと、
ゲートが前記容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
ソース及びドレインの一方が前記容量素子の第１の電極に接続され、ソース及びドレインの他方がゲート信号線に接続された第４のトランジスタと、
を有することを特徴とする電気回路。
【請求項１５】
第１の電極と第２の電極を有する容量素子と、
第１のトランジスタと、
前記容量素子の第１の電極に対する電圧の供給を制御する手段と、
ゲートが前記容量素子の第２の電極と前記第１のトランジスタのソース及びドレインの一方とに電気的に接続され、ソース及びドレインの一方が前記第１のトランジスタのソース及びドレインの他方に電気的に接続され、ソースとドレインの間を流れる電流により発光素子の発光が制御される第２のトランジスタと、
前記第２のトランジスタのソース及びドレインの一方に対する電圧の供給を制御する手段と、
ソース及びドレインの一方が前記容量素子の第１の電極に接続され、ソース及びドレインの他方がゲート信号線に接続された第３のトランジスタと、
を有することを特徴とする電気回路。
【請求項１６】
第１の電極と第２の電極を有する容量素子と、
第１のトランジスタと、
ソース及びドレインの他方が一定の電位に保たれた第２のトランジスタと、
前記容量素子の第１の電極に対する電圧の供給を制御する手段と、
ゲートが前記容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
ソース及びドレインの一方が前記容量素子の第１の電極に接続され、ソース及びドレインの他方がゲート信号線に接続された第４のトランジスタと、
を有することを特徴とする電気回路。
【請求項１７】
第１の電極と第２の電極を有する容量素子と、
配線と、前記容量素子の第１の電極と前記配線との導通を制御する手段と、
第１のトランジスタと、
ゲートが前記容量素子の第２の電極と前記第１のトランジスタのソース及びドレインの一方とに電気的に接続され、ソース及びドレインの一方が前記第１のトランジスタのソース及びドレインの他方に電気的に接続され、ソースとドレインの間を流れる電流により発光素子の発光が制御される第２のトランジスタと、
前記第２のトランジスタのソース及びドレインの一方に対する電圧の供給を制御する手段と、
ソース及びドレインの一方が前記容量素子の第１の電極に接続され、ソース及びドレインの他方がゲート信号線に接続された第３のトランジスタと、
を有することを特徴とする電気回路。
【請求項１８】
第１の電極と第２の電極を有する容量素子と、
配線と、前記容量素子の第１の電極と前記配線との導通を制御する手段と、
第１のトランジスタと、
ソース及びドレインの他方が一定の電位に保たれた第２のトランジスタと、
ゲートが前記容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
ソース及びドレインの一方が前記容量素子の第１の電極に接続され、ソース及びドレインの他方がゲート信号線に接続された第４のトランジスタと、
を有することを特徴とする電気回路。
【請求項１９】
第１の電極と第２の電極を有する第１の容量素子と、
前記第１の容量素子の第１の電極に対する電圧の供給を制御する手段と、
第１のトランジスタと、
ゲートが前記第１の容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第２のトランジスタのゲートに対する電圧の供給を制御する手段と、
前記第１の容量素子の第１の電極の電位を保持する第２の容量素子と、
を有することを特徴とする電気回路。
【請求項２０】
第１の電極と第２の電極を有する第１の容量素子と、
配線と、前記第１の容量素子の第１の電極と前記配線との導通を制御する手段と、
ゲートが前記第１の容量素子の第２の電極に電気的に接続され、ソースとドレインの間を流れる電流により発光素子の発光が制御されるトランジスタと、
前記トランジスタのソース及びドレインの一方に対する電圧の供給を制御する手段と、
前記トランジスタのゲートに対する電圧の供給を制御する手段と、
前記第１の容量素子の第１の電極の電位を保持する第２の容量素子と、
を有することを特徴とする電気回路。
【請求項２１】
第１の電極と第２の電極を有する第１の容量素子と、
配線と、前記第１の容量素子の第１の電極と前記配線との導通を制御する手段と、
第１のトランジスタと、
ゲートが前記第１の容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第２のトランジスタのゲートに対する電圧の供給を制御する手段と、
前記第１の容量素子の第１の電極の電位を保持する第２の容量素子と、
を有することを特徴とする電気回路。
【請求項２２】
第１の電極と第２の電極を有する第１の容量素子と、
配線と、前記第１の容量素子の第１の電極と前記配線との導通を制御する手段と、
第１のトランジスタと、
ゲートが前記第１の容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第１の容量素子の第１の電極の電位を保持する第２の容量素子と、
を有することを特徴とする電気回路。
【請求項２３】
第１の電極と第２の電極を有する第１の容量素子と、
第１のトランジスタと、
ソース及びドレインの他方が一定の電位に保たれた第２のトランジスタと、
ゲートが前記第１の容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
前記第１の容量素子の第１の電極の電位を保持する第２の容量素子と、
を有することを特徴とする電気回路。
【請求項２４】
第１の電極と第２の電極を有する第１の容量素子と、
第１のトランジスタと、
前記第１の容量素子の第１の電極に対する電圧の供給を制御する手段と、
ゲートが前記第１の容量素子の第２の電極と前記第１のトランジスタのソース及びドレインの一方とに電気的に接続され、ソース及びドレインの一方が前記第１のトランジスタのソース及びドレインの他方に電気的に接続され、ソースとドレインの間を流れる電流により発光素子の発光が制御される第２のトランジスタと、
前記第２のトランジスタのソース及びドレインの一方に対する電圧の供給を制御する手段と、
前記第１の容量素子の第１の電極の電位を保持する第２の容量素子と、
を有することを特徴とする電気回路。
【請求項２５】
第１の電極と第２の電極を有する第１の容量素子と、
第１のトランジスタと、
ソース及びドレインの他方が一定の電位に保たれた第２のトランジスタと、
前記第１の容量素子の第１の電極に対する電圧の供給を制御する手段と、
ゲートが前記第１の容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
前記第１の容量素子の第１の電極の電位を保持する第２の容量素子と、
を有することを特徴とする電気回路。
【請求項２６】
第１の電極と第２の電極を有する第１の容量素子と、
配線と、前記第１の容量素子の第１の電極と前記配線との導通を制御する手段と、
第１のトランジスタと、
ゲートが前記第１の容量素子の第２の電極と前記第１のトランジスタのソース及びドレインの一方とに電気的に接続され、ソース及びドレインの一方が前記第１のトランジスタのソース及びドレインの他方に電気的に接続され、ソースとドレインの間を流れる電流により発光素子の発光が制御される第２のトランジスタと、
前記第２のトランジスタのソース及びドレインの一方に対する電圧の供給を制御する手段と、
前記第１の容量素子の第１の電極の電位を保持する第２の容量素子と、
を有することを特徴とする電気回路。
【請求項２７】
第１の電極と第２の電極を有する第１の容量素子と、
配線と、前記第１の容量素子の第１の電極と前記配線との導通を制御する手段と、
第１のトランジスタと、
ソース及びドレインの他方が一定の電位に保たれた第２のトランジスタと、
ゲートが前記第１の容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
前記第１の容量素子の第１の電極の電位を保持する第２の容量素子と、
を有することを特徴とする電気回路。
【請求項２８】
第１の電極と第２の電極を有する第１の容量素子と、
前記第１の容量素子の第１の電極に対する電圧の供給を制御する手段と、
第１のトランジスタと、
ゲートが前記第１の容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第２のトランジスタのゲートに対する電圧の供給を制御する手段と、
ソース及びドレインの一方が前記第１の容量素子の第１の電極に接続され、ソース及びドレインの他方がゲート信号線に接続された第３のトランジスタと、
前記第１の容量素子の第１の電極の電位を保持する第２の容量素子と、
を有することを特徴とする電気回路。
【請求項２９】
第１の電極と第２の電極を有する第１の容量素子と、
配線と、前記第１の容量素子の第１の電極と前記配線との導通を制御する手段と、
ゲートが前記第１の容量素子の第２の電極に電気的に接続され、ソースとドレインの間を流れる電流により発光素子の発光が制御される第１のトランジスタと、
前記第１のトランジスタのソース及びドレインの一方に対する電圧の供給を制御する手段と、
前記第１のトランジスタのゲートに対する電圧の供給を制御する手段と、
ソース及びドレインの一方が前記第１の容量素子の第１の電極に接続され、ソース及びドレインの他方がゲート信号線に接続された第２のトランジスタと、
前記第１の容量素子の第１の電極の電位を保持する第２の容量素子と、
を有することを特徴とする電気回路。
【請求項３０】
第１の電極と第２の電極を有する第１の容量素子と、
配線と、前記第１の容量素子の第１の電極と前記配線との導通を制御する手段と、
第１のトランジスタと、
ゲートが前記第１の容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
前記第２のトランジスタのゲートに対する電圧の供給を制御する手段と、
ソース及びドレインの一方が前記第１の容量素子の第１の電極に接続され、ソース及びドレインの他方がゲート信号線に接続された第３のトランジスタと、
前記第１の容量素子の第１の電極の電位を保持する第２の容量素子と、
を有することを特徴とする電気回路。
【請求項３１】
第１の電極と第２の電極を有する第１の容量素子と、
配線と、前記第１の容量素子の第１の電極と前記配線との導通を制御する手段と、
第１のトランジスタと、
ゲートが前記第１の容量素子の第２の電極に電気的に接続され、ソース及びドレインの一方が前記第１のトランジスタのソース及びドレインの一方に電気的に接続され、ソースとドレインの間を流れる電流により発光素子の発光が制御される第２のトランジスタと、
ソース及びドレインの一方が前記第１の容量素子の第１の電極に接続され、ソース及びドレインの他方がゲート信号線に接続された第３のトランジスタと、
前記第１の容量素子の第１の電極の電位を保持する第２の容量素子と、
を有することを特徴とする電気回路。
【請求項３２】
第１の電極と第２の電極を有する第１の容量素子と、
第１のトランジスタと、
ソース及びドレインの他方が一定の電位に保たれた第２のトランジスタと、
ゲートが前記第１の容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
ソース及びドレインの一方が前記第１の容量素子の第１の電極に接続され、ソース及びドレインの他方がゲート信号線に接続された第４のトランジスタと、
前記第１の容量素子の第１の電極の電位を保持する第２の容量素子と、
を有することを特徴とする電気回路。
【請求項３３】
第１の電極と第２の電極を有する第１の容量素子と、
第１のトランジスタと、
前記第１の容量素子の第１の電極に対する電圧の供給を制御する手段と、
ゲートが前記第１の容量素子の第２の電極と前記第１のトランジスタのソース及びドレインの一方とに電気的に接続され、ソース及びドレインの一方が前記第１のトランジスタのソース及びドレインの他方に電気的に接続され、ソースとドレインの間を流れる電流により発光素子の発光が制御される第２のトランジスタと、
前記第２のトランジスタのソース及びドレインの一方に対する電圧の供給を制御する手段と、
ソース及びドレインの一方が前記第１の容量素子の第１の電極に接続され、ソース及びドレインの他方がゲート信号線に接続された第３のトランジスタと、
前記第１の容量素子の第１の電極の電位を保持する第２の容量素子と、
を有することを特徴とする電気回路。
【請求項３４】
第１の電極と第２の電極を有する第１の容量素子と、
第１のトランジスタと、
ソース及びドレインの他方が一定の電位に保たれた第２のトランジスタと、
前記第１の容量素子の第１の電極に対する電圧の供給を制御する手段と、
ゲートが前記第１の容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
ソース及びドレインの一方が前記第１の容量素子の第１の電極に接続され、ソース及びドレインの他方がゲート信号線に接続された第４のトランジスタと、
前記第１の容量素子の第１の電極の電位を保持する第２の容量素子と、
を有することを特徴とする電気回路。
【請求項３５】
第１の電極と第２の電極を有する第１の容量素子と、
配線と、前記第１の容量素子の第１の電極と前記配線との導通を制御する手段と、
第１のトランジスタと、
ゲートが前記第１の容量素子の第２の電極と前記第１のトランジスタのソース及びドレインの一方とに電気的に接続され、ソース及びドレインの一方が前記第１のトランジスタのソース及びドレインの他方に電気的に接続され、ソースとドレインの間を流れる電流により発光素子の発光が制御される第２のトランジスタと、
前記第２のトランジスタのソース及びドレインの一方に対する電圧の供給を制御する手段と、
ソース及びドレインの一方が前記第１の容量素子の第１の電極に接続され、ソース及びドレインの他方がゲート信号線に接続された第３のトランジスタと、
前記第１の容量素子の第１の電極の電位を保持する第２の容量素子と、
を有することを特徴とする電気回路。
【請求項３６】
第１の電極と第２の電極を有する第１の容量素子と、
配線と、前記第１の容量素子の第１の電極と前記配線との導通を制御する手段と、
第１のトランジスタと、
ソース及びドレインの他方が一定の電位に保たれた第２のトランジスタと、
ゲートが前記第１の容量素子の第２の電極と前記第１のトランジスタのソース及びドレインの一方とに電気的に接続され、ソース及びドレインの一方が前記第１のトランジスタのソース及びドレインの他方と前記第２のトランジスタのソース及びドレインの一方に電気的に接続され、ソースとドレインの間を流れる電流により発光素子の発光が制御される第３のトランジスタと、
ソース及びドレインの一方が前記第１の容量素子の第１の電極に接続され、ソース及びドレインの他方がゲート信号線に接続された第４のトランジスタと、
前記第１の容量素子の第１の電極の電位を保持する第２の容量素子と、
を有することを特徴とする電気回路。
【請求項３７】
請求項１９乃至請求項３６のいずれか１項において、
前記第２の容量素子の第１の電極及び第２の電極の一方は、前記第１の容量素子の第１の電極に電気的に接続されていることを特徴とする電気回路。
【請求項３８】
請求項２又は請求項２０において、
前記トランジスタは、非晶質半導体を有する薄膜トランジスタであることを特徴とする電気回路。
【請求項３９】
請求項１、請求項３、請求項４、請求項６、請求項８、請求項１１、請求項１９、請求項２１、請求項２２、請求項２４、請求項２６又は請求項２９のいずれか一項において、
前記第１のトランジスタと前記第２のトランジスタは、非晶質半導体を有する薄膜トランジスタであることを特徴とする電気回路。
【請求項４０】
請求項５、請求項７、請求項９、請求項１０、請求項１２、請求項１３、請求項１５、請求項１７、請求項２３、請求項２５、請求項２７、請求項２８、請求項３０、請求項３１、請求項３３又は請求項３５のいずれか一項において、
前記第１のトランジスタ、前記第２のトランジスタ及び前記第３のトランジスタは、非晶質半導体を有する薄膜トランジスタであることを特徴とする電気回路。
【請求項４１】
請求項１４、請求項１６、請求項１８、請求項３２、請求項３４又は請求項３６のいずれか一項において、
前記第１のトランジスタ、前記第２のトランジスタ、前記第３のトランジスタ及び前記第４のトランジスタは、非晶質半導体を有する薄膜トランジスタであることを特徴とする電気回路。
【請求項４２】
請求項２又は請求項２０において、
前記トランジスタは、結晶質半導体を有する薄膜トランジスタであることを特徴とする電気回路。
【請求項４３】
請求項１、請求項３、請求項４、請求項６、請求項８、請求項１１、請求項１９、請求項２１、請求項２２、請求項２４、請求項２６又は請求項２９のいずれか一項において、
前記第１のトランジスタと前記第２のトランジスタは、結晶質半導体を有する薄膜トランジスタであることを特徴とする電気回路。
【請求項４４】
請求項５、請求項７、請求項９、請求項１０、請求項１２、請求項１３、請求項１５、請求項１７、請求項２３、請求項２５、請求項２７、請求項２８、請求項３０、請求項３１、請求項３３又は請求項３５のいずれか一項において、
前記第１のトランジスタ、前記第２のトランジスタ及び前記第３のトランジスタは、結晶質半導体を有する薄膜トランジスタであることを特徴とする電気回路。
【請求項４５】
請求項１４、請求項１６、請求項１８、請求項３２、請求項３４又は請求項３６のいずれか一項において、
前記第１のトランジスタ、前記第２のトランジスタ、前記第３のトランジスタ及び前記第４のトランジスタは、結晶質半導体を有する薄膜トランジスタであることを特徴とする電気回路。
【請求項４６】
請求項１乃至請求項１８のいずれか１項において、
前記容量素子には、前記第１のトランジスタのしきい値電圧に応じた電圧が保持されることを特徴とする電気回路。
【請求項４７】
請求項１９乃至請求項３６のいずれか１項において、
前記第１の容量素子には、前記第１のトランジスタのしきい値電圧に応じた電圧が保持されることを特徴とする電気回路。
【請求項４８】
請求項１乃至請求項４７のいずれか１項に記載の前記電気回路を用いた電子機器。